【手続補正書】
【提出日】平成18年4月12日(2006.4.12)
【手続補正１】
【補正対象書類名】明細書
【補正対象項目名】発明の名称
【補正方法】変更
【補正の内容】
【発明の名称】印刷装置、その制御方法および記憶媒体
【手続補正２】
【補正対象書類名】明細書
【補正対象項目名】特許請求の範囲
【補正方法】変更
【補正の内容】
【特許請求の範囲】
【請求項１】  画像に関する内容を記述した情報ファイルが前記画像とともに記録された記録媒体から前記画像を読み取って印刷処理を行う印刷装置において、
前記記録媒体での前記情報ファイルの有無に応じた表示を行う表示手段と、
前記情報ファイルが有る場合に、前記情報ファイルに基づく印刷処理が実行可能な印刷処理手段とを備え、
前記印刷処理実行前の前記情報ファイルの有無に応じた表示中に、前記情報ファイルに基づいて実行される印刷処理の変更が可能な印刷処理変更手段を備えたことを特徴とする印刷装置。
【請求項２】  前記情報ファイルに基づく印刷処理は、定型フォーマットに従った前記画像の一括した印刷処理であることを特徴とする請求項１に記載の印刷装置。
【請求項３】  前記印刷処理変更手段は、前記情報ファイルに基づく印刷処理を実行するか否かを変更可能なことを特徴とする請求項１に記載の印刷装置。
【請求項４】  前記印刷処理変更手段は、少なくとも前記定型フォーマットの設定および印刷パラメータの設定のいずれかを変更可能であることを特徴とする請求項２に記載の印刷装置。
【請求項５】  画像に関する内容を記述した情報ファイルが前記画像とともに記録された記録媒体から前記画像を読み取って印刷処理を行う印刷装置の制御方法において、
前記記録媒体での前記情報ファイルの有無に応じた表示を行う表示工程と、
前記情報ファイルが有る場合に、前記情報ファイルに基づく印刷処理を行う印刷処理工程とを備え、
前記印刷処理実行前の前記情報ファイルの有無に応じた表示中に、前記情報ファイルに基づいて実行される印刷処理の変更が可能な印刷処理変更工程を備えたことを特徴とする印刷装置の制御方法。
【請求項６】  前記情報ファイルに基づく印刷処理は、定型フォーマットに従った前記画像の一括した印刷処理であることを特徴とする請求項５に記載の印刷装置の制御方法。
【請求項７】  前記印刷処理変更工程は、前記情報ファイルに基づく印刷処理を実行するか否かを変更可能なことを特徴とする請求項５に記載の印刷装置の制御方法。
【請求項８】  前記印刷処理変更工程は、少なくとも前記定型フォーマットの設定、印刷パラメータの設定のいずれかを変更可能であることを特徴とする請求項６に記載の印刷装置の制御方法。
【請求項９】  画像に関する内容を記述した情報ファイルが前記画像とともに記録された記録媒体から前記画像を読み取って印刷処理を行う、コンピュータにより読み取り可能なプログラムが格納された記憶媒体において、
前記プログラムは、
前記記録媒体での前記情報ファイルの有無に応じた表示を行う表示手順と、
前記情報ファイルが有る場合に、前記情報ファイルに基づく印刷処理を行う印刷処理手順とを備え、
前記印刷処理実行前の前記情報ファイルの有無に応じた表示中に、前記情報ファイルに基づいて実行される印刷処理の変更が可能な印刷処理変更手順を備えたことを特徴とする記憶媒体。
【手続補正３】
【補正対象書類名】明細書
【補正対象項目名】０００１
【補正方法】変更
【補正の内容】
【０００１】
【発明の属する技術分野】
本発明は、デジタルカメラやデジタル写真画像編集装置などの電子写真画像を取り扱う電子機器において記述された、例えばＤＰＯＦ（商標登録出願中）（Ｄｉｇｉｔａｌ  Ｐｒｉｎｔ  Ｏｒｄｅｒ  Ｆｏｒｍａｔ）ファイル中の印刷情報を基に、印刷処理を行う印刷装置、その制御方法および記憶媒体に関する。
【手続補正４】
【補正対象書類名】明細書
【補正対象項目名】０００６
【補正方法】変更
【補正の内容】
【０００６】
そこで、本発明は、一括印刷におけるユーザメリットを活かしつつ、印刷装置が有している配置レイアウト情報などの印刷情報を印刷処理に反映できる印刷装置、その制御方法および記憶媒体を提供することを目的とする。
【手続補正５】
【補正対象書類名】明細書
【補正対象項目名】０００７
【補正方法】変更
【補正の内容】
【０００７】
【課題を解決するための手段】
上記目的を達成するために、本発明の請求項１に記載の印刷装置は、画像に関する内容を記述した情報ファイルが前記画像とともに記録された記録媒体から前記画像を読み取って印刷処理を行う印刷装置において、前記記録媒体での前記情報ファイルの有無に応じた表示を行う表示手段と、前記情報ファイルが有る場合に、前記情報ファイルに基づく印刷処理が実行可能な印刷処理手段とを備え、前記印刷処理実行前の前記情報ファイルの有無に応じた表示中に、前記情報ファイルに基づいて実行される印刷処理の変更が可能な印刷処理変更手段を備えたことを特徴とする。
【手続補正６】
【補正対象書類名】明細書
【補正対象項目名】０００８
【補正方法】変更
【補正の内容】
【０００８】
請求項２に記載の印刷装置は、前記情報ファイルに基づく印刷処理は、定型フォーマットに従った前記画像の一括した印刷処理であることを特徴とする。
【手続補正７】
【補正対象書類名】明細書
【補正対象項目名】０００９
【補正方法】変更
【補正の内容】
【０００９】
請求項３に記載の印刷装置は、前記印刷処理変更手段は、前記情報ファイルに基づく印刷処理を実行するか否かを変更可能なことを特徴とする。請求項４に記載の印刷装置は、前記印刷処理変更手段は、少なくとも前記定型フォーマットの設定および印刷パラメータの設定のいずれかを変更可能であることを特徴とする。
【手続補正８】
【補正対象書類名】明細書
【補正対象項目名】００１０
【補正方法】変更
【補正の内容】
【００１０】
請求項５に記載の印刷装置の制御方法は、画像に関する内容を記述した情報ファイルが前記画像とともに記録された記録媒体から前記画像を読み取って印刷処理を行う印刷装置の制御方法において、前記記録媒体での前記情報ファイルの有無に応じた表示を行う表示工程と、前記情報ファイルが有る場合に、前記情報ファイルに基づく印刷処理を行う印刷処理工程とを備え、前記印刷処理実行前の前記情報ファイルの有無に応じた表示中に、前記情報ファイルに基づいて実行される印刷処理の変更が可能な印刷処理変更工程を備えたことを特徴とする。
【手続補正９】
【補正対象書類名】明細書
【補正対象項目名】００１１
【補正方法】変更
【補正の内容】
【００１１】
請求項９に記載の記憶媒体は、画像に関する内容を記述した情報ファイルが前記画像とともに記録された記録媒体から前記画像を読み取って印刷処理を行う、コンピュータにより読み取り可能なプログラムが格納された記憶媒体において、前記プログラムは、前記記録媒体での前記情報ファイルの有無に応じた表示を行う表示手順と、前記情報ファイルが有る場合に、前記情報ファイルに基づく印刷処理を行う印刷処理手順とを備え、前記印刷処理実行前の前記情報ファイルの有無に応じた表示中に、前記情報ファイルに基づいて実行される印刷処理の変更が可能な印刷処理変更手順を備えたことを特徴とする。
【手続補正１０】
【補正対象書類名】明細書
【補正対象項目名】００１２
【補正方法】変更
【補正の内容】
【００１２】
【発明の実施の形態】
本発明の印刷装置、その制御方法および記憶媒体の実施の形態について説明する。図１は実施の形態における印刷装置の構成を示すブロック図である。